(57)【要約】【課題】  単一の構成で、配線・配管材を各種態様で配設する場合に容易に対応でき、取付作業等の作業性や作業コスト等のコストを改善する。【解決手段】  天井面や壁面等の取付面Ｓに固定され、配線・配管材を支持する配線・配管材支持具であって、取付面Ｓに固定される固定部１１と、固定部１１に一体成形されて配線・配管材を支持自在な支持部１２とより構成される配線・配管材支持体１０を２つ備える。複数の配線・配管材を並列して配設すべく、前記２つの配線・配管材支持体１０を連設すると共に、連設した隣接する配線・配管材支持体１０を、連結部１５により互いに分離自在とする。【選択図】  図１
2005080398.tif 000002
【特許請求の範囲】
【請求項１】
天井面や壁面等の取付面に直接的または間接的に固定され、配線・配管材を支持する配線・配管材支持具であって、
前記取付面に直接的または間接的に固定される固定部と、前記固定部に一体的に設けられて配線・配管材を支持自在な支持部とより構成される配線・配管材支持体を２つ以上備え、
複数の配線・配管材を並列して配設すべく、前記２つ以上の配線・配管材支持体を特定方向に連設すると共に、連設した隣接する前記配線・配管材支持体を互いに分離自在とした
ことを特徴とする配線・配管材支持具。
【請求項２】
天井面や壁面等の取付面に直接的または間接的に固定され、配線・配管材を支持する配線・配管材支持具であって、
取付面に直接的または間接的に固定される固定部と、一端に開口を有するよう前記固定部に一体成形され、前記開口から配線・配管材を嵌入して支持自在な支持部とより構成される配線・配管材支持体を２つ備え、
複数の配線・配管材を並列して配設すべく、前記２つの配線・配管材支持体を、前記支持部の開口が相反する方向を向くよう連設すると共に、連設した前記配線・配管材支持体を互いに分離自在とした
ことを特徴とする配線・配管材支持具。
【請求項３】
天井面や壁面等の取付面に直接的または間接的に固定され、配線・配管材を支持する配線・配管材支持具であって、
前記取付面に直接的または間接的に固定される固定部と、一端に開口を有するよう前記固定部に一体成形され、前記開口から配線・配管材を嵌入して支持自在な支持部とより構成される配線・配管材支持体を複数備え、
複数の配線・配管材を並列して配設すべく、前記複数の配線・配管材支持体を、前記支持部の開口が同一方向を向くよう連設すると共に、連設した前記配線・配管材支持体を互いに分離自在とした
ことを特徴とする配線・配管材支持具。
【請求項４】
天井面や壁面等の取付面に直接的または間接的に固定され、配線・配管材を支持する配線・配管材支持具であって、
前記取付面に直接的または間接的に固定される固定部と、一端に開口を有するよう前記固定部に一体成形され、前記開口から配線・配管材を嵌入して支持自在な支持部とより構成される配線・配管材支持体を複数備え、
前記各配線・配管材支持体の支持部を、前記固定部を前記取付面に固定したときに前記取付面と略直交する方向に延設すると共に、前記支持部の延設方向に沿って前記開口を同一方向を向くよう複数配置し、前記支持部の複数の開口から複数の配線・配管材をそれぞれ嵌入して、前記複数の配線・配管材を前記支持部により並列状態で支持するようにし、
前記複数の配線・配管材支持体を特定方向に連設すると共に、連設した前記配線・配管材支持体を互いに分離自在とした
ことを特徴とする配線・配管材支持具。
【請求項５】
更に、前記２つの配線・配管材支持体の前記支持部間に一体的に設けた係止部を備え、前記支持部とは別個に配線・配管材を吊り下げ支持するための吊下支持体を前記係止部に係止自在としたことを特徴とする請求項２項記載の配線・配管材支持具。
【請求項６】
更に、前記配線・配管材支持体の前記支持部のうち、前記開口が相反する方向を向くよう連設されて対をなす前記支持部において、前記開口と反対側の端部に略掛け渡して一体成形された係止部を備え、前記支持部とは別個に配線・配管材を吊り下げ支持するための吊下支持体を前記係止部に係止自在としたことを特徴とする請求項１または３記載の配線・配管材支持具。
【請求項７】
天井面や壁面等の取付面に直接的または間接的に固定され、配線・配管材を支持する配線・配管材支持具であって、
前記取付面に直接的または間接的に固定される固定部と、前記固定部の一側から突出するよう一体成形されて先端に開口を有する略Ｕ字状をなし、前記開口から配線・配管材を嵌入して支持自在な支持部とより構成される配線・配管材支持体を複数備え、
前記複数の配線・配管材支持体を、各々の支持部の開口が同一方向を向くよう配置した状態で、互いに分離自在に連設し、前記支持部の複数の開口から複数の配線・配管材をそれぞれ嵌入して、前記複数の配線・配管材を前記支持部により並列状態で支持するようにした
ことを特徴とする配線・配管材支持具。
【請求項８】
隣接する前記配線・配管材支持体は、手指により切断自在な連結部により連結されることにより、互いに分離自在に連設されることを特徴とする請求項１乃至７のいずれか１項記載の配線・配管材支持具。
【請求項９】
前記連結部は、前記隣接する配線・配管材支持体の連結方向における所定箇所を、手指により切断または折り取り自在な強度の切断箇所とすると共に、前記切断箇所以外の部分を前記切断箇所より大きな強度としたものであることを特徴とする請求項８記載の配線・配管材支持具。
【請求項１０】
前記連結部は、隣接する前記配線・配管材支持体の固定部間を連結するものであることを特徴とする請求項８または９記載の配線・配管材支持具。
【請求項１１】
天井や壁等に固定した被取付体に取付けられて、配線・配管材を支持する配線・配管材支持具であって、
被取付体に取付けて固定自在な取付部と、
前記取付部の一側に延設して一体成形された基部と、
前記基部の延設方向と略直交する方向に突出するよう前記基部の一側に一体成形された複数の支持部とを備え、
前記各支持部には、その突出方向に延びる支持空間を、前記基部の延設方向に沿って並列に複数形成すると共に、各支持空間における前記基部と反対側の一端を開口とし、前記複数の支持空間の開口から複数の配線・配管材をそれぞれ嵌入して、前記複数の配線・配管材を前記各支持部により並列状態で支持するようにし、
前記隣接する支持部間を互いに分離自在に連接した
ことを特徴とする配線・配管材支持具。
【請求項１２】
天井面や壁面等の取付面に固定され、配線・配管材を支持する配線・配管材支持具であって、
前記取付面に一側を固定自在な固定部と、前記固定部に前記一側から他側へと向かう方向と略同一方向に突出するよう一体成形された支持部とより構成される配線・配管材支持体を複数備え、
前記各支持部には、その突出方向に延びる支持空間を、前記固定部に沿って並列に複数形成すると共に、各支持空間における前記固定部と反対側の一端を開口とし、前記複数の支持空間の開口から複数の配線・配管材をそれぞれ嵌入して、前記複数の配線・配管材を前記各支持部により並列状態で支持するようにし、
前記複数の配線・配管材支持体を互いに分離自在に連接した
ことを特徴とする配線・配管材支持具。
【発明の詳細な説明】
【技術分野】
【０００１】
本発明は、建築物の二重天井内等の天井面や壁面等の構築面に固着されて、その二重天井内等に配設される配線・配管材を吊下げや結束等により支持する配線・配管材支持具に関する。
【背景技術】
【０００２】
建築物では、例えば、二重天井内等に電線や電話線等の配線、電線配管や水道配管等の配管材等を先行配設する。この場合、配線や配管材等は、天井面や壁面等の取付面に固定した配線・配管材支持具により、吊下げ支持したり結束支持したりして支持する。かかる従来の配線・配管材支持具として、例えば、特許文献１に記載の技術がある。
【特許文献１】特開平１１−２２８６２号公報
【０００３】
特許文献１に係る配線・配管材支持具としての管・ケーブル類の支持具は、固定部としての樹脂製の接着板を天井壁等の被接着面（取付面）に対して接着して固定し、接着板の裏面（下面）に一体的に設けたフック等の支持部により、配線や配管材を支持するようになっている。
【０００４】
一方、複数の配線・配管材を支持可能な配線・配管材支持具として、特許文献２に記載の技術がある。
【特許文献２】特開２０００−４６２４６号公報
【０００５】
特許文献２に係る配線・配管材の支持具は、固定部としての基部に、間隔を置いて並ぶよう複数の支持体を立設し、隣接する支持体間に形成される支持部に配線・配管材を嵌入して挟持することにより、複数の配線・配管材を支持するようになっている。
【発明の開示】
【発明が解決しようとする課題】
【０００６】
ここで、建築物の天井面や壁面等の取付面に沿って、複数の配線・配管材を並設して配設する場合がある。この場合、特許文献１に係る管・ケーブル類の支持具を使用して複数の配線・配管材を支持するには、対応する数の管・ケーブル類の支持具を用意し、それらの管・ケーブル類の支持具を取付面に並設して固定して、各管・ケーブル類の支持具により配線や配管材を支持することになる。即ち、特許文献１に記載の技術は、一つの固定部に対して一つの支持部のみを備えて構成されているため、複数の配線・配管材を並列に配設する際には、対応する複数の管・ケーブル類の支持具を取付面に並列に固定して配設する必要がある。よって、この場合、複数の管・ケーブル類の支持具を個別に取付面に位置決めして配置し、接着材等により固定する必要があり、その取付作業が煩雑となる等、作業性等の点で改善する余地がある。
【０００７】
更に、特許文献１に記載の管・ケーブル類の支持具は、接着剤により固定部の裏面（固定面）を壁面等の取付面に貼着して固定する。しかし、この固定面の大きさ（面積）は、重量のある配線・配管材を支持した場合でも、固定部が取付面から離脱することがないよう、かかる場合を基準に大きめに設定されている。よって、特許文献１に記載の管・ケーブル類の支持具では、固定部または固定面が、配設される配線・配管材によっては必要以上に大きくなり、接着剤を必要以上の量（塗布面積）に塗布することになり、無駄な接着剤を必要とする。また、固定部の面積が大きいため、上記のように、複数の配線・配管材を並列して配設する場合に、複数の管・ケーブル類の支持具を取付面に並列して固定すると、隣接する固定部の占める面積が大面積となり、設置面積が必要以上に大きくなって、配線・配管材の配設作業または他の部材の施工作業の支障となる可能性もある。
【０００８】
一方、特許文献２に記載の技術は、１つの固定部に対して複数の支持部を備えた構成となるため、１つの配線・配管材の支持具を取付面に固定するだけで、複数の配線・配管材を支持することができる。しかし、特許文献２に記載の技術では、配線・配管材を並列に配設しない場合、即ち、１つの配線・配管材しか配設しない場合に、１つの支持部しか使用しないことになり、他の支持部が非使用状態となり無駄になる。よって、従来、建築物の施工の際には、特許文献１に記載のような一つの固定部に対して単一の支持部のみ有する配線・配管材支持具と、特許文献２に記載のような一つの固定部に対して複数の支持部を有する配線・配管材支持具とをそれぞれ準備し、現場の仕様に応じて使い分ける必要がある。その結果、そのための準備作業や現場での選別作業等が煩雑となったりする等、作業性やコスト等の点で改善する余地がある。
【０００９】
そこで、本発明は、単一の構成で、配線・配管材を１段または１列のみ配設する場合及び複数段または複数列となるよう並列に配設する場合の両方の場合に容易に対応でき、取付作業等の作業性や作業コスト等のコストを改善することができ、更に、配線・配管材を複数段または複数列となるよう並列に配設する場合に、その取付作業等の作業性を改善することができると共に、その設置面積を最小限に抑えて配線・配管材の配設作業や他の部材の施工作業を円滑に行えるようにすることができる配線・配管材支持具の提供を課題とする。
【課題を解決するための手段】
【００１０】
請求項１に係る配線・配管材支持具は、天井面や壁面等の取付面に直接的または間接的に固定され、配線・配管材を支持する配線・配管材支持具であって、前記取付面に直接的または間接的に固定される固定部と、前記固定部に一体的に設けられて配線・配管材を支持自在な支持部とより構成される配線・配管材支持体を２つ以上備え、複数の配線・配管材を並列して配設すべく、前記２つ以上の配線・配管材支持体を特定方向に連設すると共に、連設した隣接する前記配線・配管材支持体を互いに分離自在としたものである。
【００１１】
請求項２に係る配線・配管材支持具は、天井面や壁面等の取付面に直接的または間接的に固定され、配線・配管材を支持する配線・配管材支持具であって、取付面に直接的または間接的に固定される固定部と、一端に開口を有するよう前記固定部に一体成形され、前記開口から配線・配管材を嵌入して支持自在な支持部とより構成される配線・配管材支持体を２つ備え、複数の配線・配管材を並列して配設すべく、前記２つの配線・配管材支持体を、前記支持部の開口が相反する方向を向くよう連設すると共に、連設した前記配線・配管材支持体を互いに分離自在としたものである。
【００１２】
請求項３に係る配線・配管材支持具は、天井面や壁面等の取付面に直接的または間接的に固定され、配線・配管材を支持する配線・配管材支持具であって、前記取付面に直接的または間接的に固定される固定部と、一端に開口を有するよう前記固定部に一体成形され、前記開口から配線・配管材を嵌入して支持自在な支持部とより構成される配線・配管材支持体を複数備え、複数の配線・配管材を並列して配設すべく、前記複数の配線・配管材支持体を、前記支持部の開口が同一方向を向くよう連設すると共に、連設した前記配線・配管材支持体を互いに分離自在としたものである。
【００１３】
なお、本発明に係る配線・配管材支持具は、請求項２記載の配線・配管材支持具を複数備え、前記複数の配線・配管材支持具を、前記２つの配線・配管材支持体の連設方向に沿って略直線状に配置して連設すると共に、隣接する前記配線・配管材支持具間を互いに分離自在として構成することも可能である。この場合、
【００１４】
また、本発明に係る配線・配管材支持具は、請求項３記載の配線・配管材支持具を複数備え、前記配線・配管材支持具を、隣接する配線・配管材支持具において前記複数の支持部の開口が相反する方向を向くように配置した状態で、前記配線・配管材支持体の連設方向に沿って略直線状に配置して連設すると共に、隣接する前記配線・配管材支持具間を互いに分離自在として構成することも可能である。
【００１５】
請求項４に係る配線・配管材支持具は、天井面や壁面等の取付面に直接的または間接的に固定され、配線・配管材を支持する配線・配管材支持具であって、前記取付面に直接的または間接的に固定される固定部と、一端に開口を有するよう前記固定部に一体成形され、前記開口から配線・配管材を嵌入して支持自在な支持部とより構成される配線・配管材支持体を複数備え、前記各配線・配管材支持体の支持部を、前記固定部を前記取付面に固定したときに前記取付面と略直交する方向に延設すると共に、前記支持部の延設方向に沿って前記開口を同一方向を向くよう複数配置し、前記支持部の複数の開口から複数の配線・配管材をそれぞれ嵌入して、前記複数の配線・配管材を前記支持部により並列状態で支持するようにし、前記複数の配線・配管材支持体を特定方向に連設すると共に、連設した前記配線・配管材支持体を互いに分離自在としたものである。
【００１６】
なお、本発明に係る配線・配管材支持具は、請求項６記載の配線・配管材支持具を複数備え、前記配線・配管材支持具を、前記複数の配線・配管材支持体の連設方向に沿って略直線状に配置して連設すると共に、隣接する前記配線・配管材支持具間を互いに分離自在として構成することも可能である。
【００１７】
請求項５に係る配線・配管材支持具は、請求項２の構成において、更に、前記２つの配線・配管材支持体の前記支持部間に一体的に設けた係止部を備え、前記支持部とは別個に配線・配管材を吊り下げ支持するための吊下支持体を前記係止部に係止自在とした。
【００１８】
請求項６に係る配線・配管材支持具は、請求項１または３の構成において、更に、前記配線・配管材支持体の前記支持部のうち、前記開口が相反する方向を向くよう連設されて対をなす前記支持部において、前記開口と反対側の端部に略掛け渡して一体成形された係止部を備え、前記支持部とは別個に配線・配管材を吊り下げ支持するための吊下支持体を前記係止部に係止自在とした。
【００１９】
請求項７に係る配線・配管材支持具は、天井面や壁面等の取付面に直接的または間接的に固定され、配線・配管材を支持する配線・配管材支持具であって、前記取付面に直接的または間接的に固定される固定部と、前記固定部の一側から突出するよう一体成形されて先端に開口を有する略Ｕ字状をなし、前記開口から配線・配管材を嵌入して支持自在な支持部とより構成される配線・配管材支持体を複数備え、前記複数の配線・配管材支持体を、各々の支持部の開口が同一方向を向くよう配置した状態で、互いに分離自在に連設し、前記支持部の複数の開口から複数の配線・配管材をそれぞれ嵌入して、前記複数の配線・配管材を前記支持部により並列状態で支持するようにしたものである。
【００２０】
なお、本発明に係る配線・配管材支持具は、請求項１０記載の配線・配管材支持具を２つ備え、前記２つの配線・配管材支持具を、各々の前記複数の開口が相反する方向を向くように配置した状態で、前記配線・配管材支持具の一端を互いに分離自在に連設すると共に、それら２つの配線・配管材支持具の前記一端側の支持部の外側面を、前記取付面に固定自在な固定面として構成することも可能である。
【００２１】
また、本発明に係る配線・配管材支持具は、請求項１１の構成において、更に、前記連接した２つの配線・配管材支持具において、互いに対向する複数対の前記支持部間にそれぞれ一体成形された係止部を備え、前記支持部とは別個に配線・配管材を吊り下げ支持するための吊下支持体を前記複数の係止部にそれぞれ係止自在とすることも可能である。
【００２２】
請求項８に係る配線・配管材支持具は、請求項１乃至７のいずれかの構成において、隣接する前記配線・配管材支持体が、手指により切断自在な連結部により連結されることにより、互いに分離自在に連設される。
【００２３】
請求項９に係る配線・配管材支持具は、請求項８の構成において、前記連結部は、前記隣接する配線・配管材支持体の連結方向における所定箇所を、手指により切断または折り取り自在な強度の切断箇所とすると共に、前記切断箇所以外の部分を前記切断箇所より大きな強度としたものである。
【００２４】
請求項１０に係る配線・配管材支持具は、請求項８または９の構成において、前記連結部は、隣接する前記配線・配管材支持体の固定部間を連結するものである。
【００２５】
なお、本発明に係る配線・配管材支持具は、請求項７または１０の構成において、前記各配線・配管材支持体の固定部が、前記支持部と反対側に、前記取付面に貼着して固定自在な貼着面を有し、前記連結部は、前記支持部と反対側に、前記固定部の貼着面と略面一となり、前記取付面に貼着して固定自在な補助貼着面を有するよう構成することも可能である。
【００２６】
請求項１１に係る配線・配管材支持具は、天井や壁等に固定した被取付体に取付けられて、配線・配管材を支持する配線・配管材支持具であって、被取付体に取付けて固定自在な取付部と、前記取付部の一側に延設して一体成形された基部と、前記基部の延設方向と略直交する方向に突出するよう前記基部の一側に一体成形された複数の支持部とを備え、前記各支持部には、その突出方向に延びる支持空間を、前記基部の延設方向に沿って並列に複数形成すると共に、各支持空間における前記基部と反対側の一端を開口とし、前記複数の支持空間の開口から複数の配線・配管材をそれぞれ嵌入して、前記複数の配線・配管材を前記各支持部により並列状態で支持するようにし、前記隣接する支持部間を互いに分離自在に連接したものである。
【００２７】
請求項１２に係る配線・配管材支持具は、天井面や壁面等の取付面に固定され、配線・配管材を支持する配線・配管材支持具であって、前記取付面に一側を固定自在な固定部と、前記固定部に前記一側から他側へと向かう方向と略同一方向に突出するよう一体成形された支持部とより構成される配線・配管材支持体を複数備え、前記各支持部には、その突出方向に延びる支持空間を、前記固定部に沿って並列に複数形成すると共に、各支持空間における前記固定部と反対側の一端を開口とし、前記複数の支持空間の開口から複数の配線・配管材をそれぞれ嵌入して、前記複数の配線・配管材を前記各支持部により並列状態で支持するようにし、前記複数の配線・配管材支持体を互いに分離自在に連接したものである。
【発明の効果】
【００２８】
請求項１に係る配線・配管材支持具は、複数の構成を用意することなく、単一の構成で、配線・配管材を１段または１列のみ配設する場合及び複数段または複数列となるよう並列に配設する場合の両方の場合に容易に対応でき、取付作業等の作業性や作業コスト等のコストを改善することができ、更に、配線・配管材を複数段または複数列となるよう並列に配設する場合に、その取付作業等の作業性を改善することができると共に、その設置面積を最小限に抑えて配線・配管材の配設作業や他の部材の施工作業を円滑に行えるようにすることができる。
【００２９】
請求項２に係る配線・配管材支持具は、単一の構成で、配線・配管材を１段または１列のみ配設する場合及び２段または２列となるよう並列に配設する場合の両方の場合に容易に対応でき、取付作業等の作業性や作業コスト等のコストを改善することができ、更に、配線・配管材を２段または２列となるよう並列に配設する場合に、その取付作業等の作業性を改善することができると共に、その設置面積を最小限に抑えて配線・配管材の配設作業や他の部材の施工作業を円滑に行えるようにすることができる。
【００３０】
請求項３に係る配線・配管材支持具は、複数の構成を用意することなく、単一の構成で、配線・配管材を１段または１列のみ配設する場合及び複数段または複数列となるよう並列に配設する場合の両方の場合に容易に対応でき、取付作業等の作業性や作業コスト等のコストを改善することができ、更に、配線・配管材を複数段または複数列となるよう並列に配設する場合に、その取付作業等の作業性を改善することができると共に、その設置面積を最小限に抑えて配線・配管材の配設作業や他の部材の施工作業を円滑に行えるようにすることができる。更に、その全体構造が簡単になり、製造コストを低減することができる。
【００３１】
請求項４に係る配線・配管材支持具は、複数の構成を用意することなく、単一の構成で、配線・配管材を１段または１列のみ配設する場合及び複数段または複数列となるよう並列に配設する場合の両方の場合に容易に対応でき、取付作業等の作業性や作業コスト等のコストを改善することができ、更に、配線・配管材を複数段または複数列となるよう並列に配設する場合に、その取付作業等の作業性を改善することができると共に、その設置面積を最小限に抑えて配線・配管材の配設作業や他の部材の施工作業を円滑に行えるようにすることができる。更に、複数の配線・配管支持体の連設状態では、複数段複数列の配線・配管材を支持することができる。また、請求項６に係る配線・配管材支持具は、必要に応じて、各々が複数の支持部を有する複数の配線・配管支持体に分離して使用することができる。
【００３２】
請求項５に係る配線・配管材支持具は、請求項２の効果に加え、複数の支持部により配線・配管材を並列して支持できるのみならず、支持部とは別個の吊下支持体により、別の配線・配管材を支持することができる。
【００３３】
請求項６に係る配線・配管材支持具は、請求項１または３の効果に加え、複数の支持部により配線・配管材を並列して支持できるのみならず、支持部とは別個の吊下支持体により、別の配線・配管材を支持することができる。
【００３４】
請求項７に係る配線・配管材支持具は、複数の構成を用意することなく、単一の構成で、配線・配管材を１段または１列のみ配設する場合及び複数段または複数列となるよう並列に配設する場合の両方の場合に容易に対応でき、取付作業等の作業性や作業コスト等のコストを改善することができ、更に、配線・配管材を複数段または複数列となるよう並列に配設する場合に、その取付作業等の作業性を改善することができると共に、その設置面積を最小限に抑えて配線・配管材の配設作業や他の部材の施工作業を円滑に行えるようにすることができる。
【００３５】
請求項８に係る配線・配管材支持具は、請求項１乃至７のいずれかの効果に加え、手指により連結部を容易に切断することができ、隣接する配線・配管材支持体を容易に分離することができる。
【００３６】
請求項９に係る配線・配管材支持具は、請求項８の効果に加え、手指により連結部を切断箇所にて容易に切断することができ、隣接する配線・配管材支持体を容易に分離することができる。
【００３７】
請求項１０に係る配線・配管材支持具は、請求項８または９の効果に加え、固定部間を連結部により連結することで、隣接する配線・配管材支持体間の連設をより確実に行うことができる。
【００３８】
請求項１１に係る配線・配管材支持具は、複数の構成を用意することなく、単一の構成で、配線・配管材を１段または１列のみ配設する場合及び複数段または複数列となるよう並列に配設する場合の両方の場合に容易に対応でき、取付作業等の作業性や作業コスト等のコストを改善することができ、更に、配線・配管材を複数段または複数列となるよう並列に配設する場合に、その取付作業等の作業性を改善することができると共に、その設置面積を最小限に抑えて配線・配管材の配設作業や他の部材の施工作業を円滑に行えるようにすることができる。更に、複数の配線・配管支持体の連設状態では、それぞれの配線・配管材支持体が有する支持部の数に対応する列の配線・配管材を支持することができる。また、請求項１８に係る配線・配管材支持具は、必要に応じて、各々が複数の支持空間及び開口を有する複数の配線・配管支持体に分離して使用することができる。
【００３９】
請求項１２に係る配線・配管材支持具は、複数の構成を用意することなく、単一の構成で、配線・配管材を１段または１列のみ配設する場合及び複数段または複数列となるよう並列に配設する場合の両方の場合に容易に対応でき、取付作業等の作業性や作業コスト等のコストを改善することができ、更に、配線・配管材を複数段または複数列となるよう並列に配設する場合に、その取付作業等の作業性を改善することができると共に、その設置面積を最小限に抑えて配線・配管材の配設作業や他の部材の施工作業を円滑に行えるようにすることができる。更に、全体の構成が簡単になり、製造コストを低減する等の諸効果を発揮することができる。
【発明を実施するための最良の形態】
【００４０】
以下、本発明を実施するための最良の形態（以下、実施の形態という）を説明する。なお、各実施の形態を通じ、同一の部材、要素または部分には同一の符号を付して、その説明を省略する。
【００４１】
実施の形態１
図１は本発明の実施の形態１に係る配線・配管材支持具を各種使用状態と共に示す説明図である。図２は本発明の実施の形態１に係る配線・配管材支持具を示す平面図である。図３は本発明の実施の形態１に係る配線・配管材支持具を示す底面図である。図４は本発明の実施の形態１に係る配線・配管材支持具を示す正面図である。図５は本発明の実施の形態１に係る配線・配管材支持具を示す側面図である。
実施の形態１は、天井や壁等の天井面や壁面等の取付面に直接固定され、電線や電話線等の配線や、電線配管や水道配管等の配管材を支持する配線・配管材支持具に具体化される。実施の形態１の配線・配管材支持具は、図１〜図５に示すように、配線・配管材支持体１０を２つ備え、それらを一体成形してなるものである。各配線・配管材支持体１０は、取付面Ｓに固定自在な固定部１１と、固定部１１に一体的に設けられて配線・配管材を支持自在な支持部１２とより構成される。詳細には、前記固定部１１は、長方形板状等の矩形平板状をなし、図３に示すように、裏面（底面）に多数の円形の小凹部１１ａを一体形成している。また、固定部１１は、裏面の中央に刻印部１１ｂを設けている。更に、固定部１１の裏面全体は、前記取付面Ｓに接着剤を介して貼着して固定される貼着面１１ｃとされている。なお、固定部１１は、刻印部１１ｂを設けず、裏面全体に前記小凹部１１ａを設けてもよい。或いは、固定部１１の裏面は、円形をなす小凹部１１ｂ以外の形状の小凹部を設けたり、単なる平坦面として貼着面１１ｃを構成したりすることができる。即ち、固定部１１の裏面は、前記取付面Ｓへ貼着して固定される貼着面（接着面）となるため、取付面Ｓの表面形状、湾曲の有無、材質等に対応して、適宜その構成を変更することができる。一方、固定部１１の表面は、図２に示すように単なる平坦面とされている。
【００４２】
前記支持部１２は、一端に開口１３を有するよう前記固定部１１に一体成形され、開口１３から配線・配管材を支持部１２の内部に嵌入して支持自在とされている。具体的には、支持部１２は、断面略Ｌ字状または略アングル状の板状をなし、その基端（図４，５中上端）が固定部１１の表面の幅方向一端中央に一体成形により固着されている。支持部１２は、コーナー部が所定アールの湾曲部とされ、更に、コーナー部内面側に湾曲形状の凹部１２ａを設けている。凹部１２ａにより、支持部１２をコーナー部でより円滑に撓ませて、開口１３からの配線・配管材の嵌入をより容易に行えるようになっている。支持部１２のコーナー部より基端側部分は、固定部１１の表面と略直交し、先端側部分は、固定部１１の表面と略平行となっている。また、支持部１２の先端には、小さい鉤状（フック状）の掛止部１２ｂが一体成形されている。掛止部１２ｂは、図５に示すように、略山形状（略Ｖ字状）の板状をなしている。前記掛止部１２ｂの先端の略Ｖ字状の面と固定部１１の幅方向他端部の表面との間に、前記開口１３が形成される。ここで、各配線・配管材支持体１０に配線・配管材を嵌入する際に、掛止部１２ｂの先端面が、固定部１１の長さ方向（配設時の配線・配管材の長さ方向）に沿って傾斜する略Ｖ字状の面となる。
【００４３】
前記配線・配管材支持体１０は、複数の配線・配管材を並列して配設すべく、特定方向に複数連設されると共に、互いに分離自在とされている。詳細には、実施の形態１に係る配線・配管材支持具は、複数の配線・配管材を（２列に）並列して配設すべく、合計２つの配線・配管材支持体１０を、支持部１２の開口１３が相反する方向を向くよう直線状に連設している。具体的には、２つの配線・配管材支持体１０は、それぞれ、手指により切断自在な連結部１５により連結され、互いに分離自在に連設されている。即ち、実施の形態１に係る配線・配管材支持具は、２つの配線・配管材支持体１０の固定部１１を、その長辺が平行に対向するよう、同一平面上に直線的に並設すると共に、固定部１１の対向する長辺の中央部間に前記連結片１５を一体成形している。これにより、２つの配線・配管材支持体１０が、連結部１５により互いに連結され、その幅方向に連設されている。
【００４４】
連結部１５は、配線・配管材支持体１０の連結方向における所定箇所、即ち、その幅方向における中央を、手指により切断または折り取り自在な強度乃至構造の切断箇所１５ａとすると共に、前記切断箇所１５ａ以外の部分を切断箇所１５ａより大きな強度乃至構造としたものである。また、連結部１５は、配線・配管材支持体１０の固定部１１間を連結している。更に、連結部１５の幅方向両端部（各固定部１１との連結部分）は、固定部１１と略同一肉厚とされると共に、中央部分は、中央の切断箇所１５ａに向かって徐々に薄肉となる略テーパ状とされている。即ち、連結部１５は、全体を断面略Ｖ字状の板状とされている。なお、連結部１５の切断箇所１５ａの肉厚は、材料の強度等を考慮して、通常の作業者の手指の力により容易に切断できる程度の肉厚（例えば１ｍｍ程度）とすればよい。また、連結部１５の切断箇所１５ａ周辺の裏面（図４中の上面）は、単なるＶ字状の断面とされているが、表面（図４中の下面）は、若干のアール（例えばＲ＝１）が付与された湾曲状のＶ字状とされている。更に、連結部１５は、固定部１１の長さ方向略中央部の約３分の１程度の部分（支持部１２よりも狭い範囲）に設けられている。これにより、連結部１５の幅方向両側には、それぞれ、略矩形状の凹部１６が形成されている。
【００４５】
上記のように、実施の形態１では、配線・配管材支持体１０の支持部１２は、開口１３が相反する方向を向くよう連設されて対をなすが、それら一対の支持部１２において、開口１３と反対側の端部間には、係止部１７が略掛け渡して一体成形されている。詳細には、係止部１７は、直線棒状をなし、その両端が、一対の支持部１２の対向側であるコーナー部の幅方向中央にそれぞれ一体成形により固着されている。係止部１７は、その外側面（図４中下面）が支持部１２の外側面（図４中下面）と略面一となるよう設けられている。なお、この係止部１７は、後述する実施の形態７で説明するように、支持部１２とは別個に配線・配管材を吊り下げ支持するためのひも状等の吊下支持体を係止して構成することもできる。また、係止部１７は、配線・配管材支持具の２つの支持部１２を、そのコーナー部の幅方向中央で連結し、補強的な機能も発揮するようになっている。更に、係止部１７は、単なる（細い）直線棒状であるため、手指により任意の箇所（例えば中央）で切断または折り取り自在となっている。なお、係止部１７は、その中央に略Ｖ字状の溝を設ける等して、その箇所で一層容易に切断または折り取りできるよう構成してもよい。しかし、上記のように、係止部１７に別個の吊り下げ支持体を係止して使用する場合、吊り下げ支持体の支持強度を確保する点から、係止部１７には略Ｖ字状の溝等を設けず、単なる棒状体として構成することが好ましい。
【００４６】
次に、上記のように構成した実施の形態１に係る配線・配管材支持具の製造方法、使用方法並びに作用及び効果について説明する。
まず、実施の形態１に係る配線・配管材支持具は、固定部１１及び支持部１２からなる一対の配線・配管材支持体１０と、連結部１５と、係止部１７とを、ポリ塩化ビニル（ＰＶＣ）等の合成樹脂等からなる所定の成形材料を使用して、図１〜図５に示す形状へと一体成形することにより製造される。このように製造した実施の形態１に係る配線・配管材支持具は、そのままの連設状態で、天井面等の取付面Ｓの所定位置に固定され、配線・配管材を並列して支持するために使用することができる。このとき、左右一対の配線・配管材支持体１０の支持部１２が、開口１３を互いに相反する方向に向けた状態で配置されるため、隣接する支持部１２が相互に障害となって開口１３からの配線・配管材の嵌入を妨げることがない。その結果、各開口１３から配線・配管材を支持部１２の内部に容易に嵌入することができ、配線・配管作業の作業性を向上することができる。
【００４７】
一方、実施の形態１に係る配線・配管材支持具は、支持部１２の開口１３の直近に障害物がある、或いは、支持部１２を単独で（１個ずつ）使用したい等、必要な場合、前記連結部１５を切断箇所１５ａで切断し、配線・配管材支持体１０を２つに分離した分離状態で、それぞれの配線・配管材支持体１０を取付面Ｓの所定位置に固定し、それぞれの配線・配管材支持体１０により配線・配管材を並列して支持するために使用することができる。なお、実施の形態１に係る配線・配管材支持具を連設状態で使用する場合及び分離状態で使用する場合のいずれの場合も、配線・配管材支持具は、固定部１１の裏面を、接着剤層を介して取付面Ｓに貼着して固定することができる。このとき、固定部１１の裏面が貼着面（接着面）として機能する。
【００４８】
ここで、実施の形態１に係る配線・配管材支持具を分離状態で使用する場合について説明する。まず、例えば、図１の左上側に示すように、取付面Ｓとしての天井面において壁面の直近位置に配線・配管材を左右一対並列状態で配設する場合に、配線・配管材支持具を連設状態で天井面における壁面の直近位置に固定するとする。すると、このままでは、図１中矢印で示すように、配線・配管材支持具の左側の開口１３からは支持部１２の内部に配線・配管材を容易に嵌入することができるものの、壁面側（図１中右側）の支持部１２の開口１３と壁面との間の隙間が非常に小さく、右側の開口１３からは支持部１２内部に配線・配管材を嵌入することが困難になる。よって、この場合、図１中の右上側に示すように、配線・配管材支持具を、取付面Ｓとしての天井面に分離状態で固定する。即ち、まず、連設状態の配線・配管材支持具の連結部１５を、切断箇所１５ａで手指により折り取って切断（分離）すると共に、係止部１７も手指により折り取って切断し、配線・配管材支持体１０を２つに分離する。これにより、２つの配線・配管材支持体１０を個別に単独で使用することができる。そして、このように分離した配線・配管材支持体１０を、それぞれ、天井面における壁面の直近位置に配置して固定する。具体的には、２つの配線・配管材支持体１０を、各々の支持部１２の開口１３を同一方向（右側方）に向けた状態で、天井面に配置して固定する。これにより、図１中矢印で示すように、配線・配管材を各配線・配管材支持体１０の開口１３から支持部１２の内部に容易に嵌入することができ、支持部１２により並列状態（左右２列）で支持することができる。
【００４９】
また、図１の左下側に示すように、取付面Ｓとしての壁面に配線・配管材を上下一対並列状態で配設する場合、配線・配管材支持具を連設状態で壁面に固定するとする。すると、このままでは、上下一対の配線・配管材支持体１０の支持部１２が、開口１３を互いに相反する方向（上側方及び下側方）に向けた状態で配置されることになる。よって、図１中矢印で示すように、配線・配管材支持具の上側の開口１３から支持部１２の内部に嵌入した配線・配管材は、支持部１２の奥側に安定して確実に支持されるものの、下側の開口１３から支持部１２の内部に嵌入した配線・配管材は、下方を向く下側の開口１３から脱落する可能性がある。よって、この場合、図１中の右下側に示すように、配線・配管材支持具を、取付面Ｓとしての壁面に分離状態で固定する。即ち、まず、連設状態の配線・配管材支持具の連結部１５を、上記と同様にして、２つの配線・配管材支持体１０へと分離する。そして、このように分離した配線・配管材支持体１０を、それぞれ、壁面に配置して固定する。具体的には、２つの配線・配管材支持体１０を、各々の支持部１２の開口１３を同一方向（上方）に向けた状態で、壁面に配置して固定する。これにより、図１中矢印で示すように、配線・配管材を各配線・配管材支持体１０の上方を向く開口１３から支持部１２の内部に嵌入して、支持部１２の奥側に並列状態（上下２列）で安定して確実に支持することができる。
【００５０】
なお、上記いずれの場合も、各配線・配管材支持体１０に配線・配管材を嵌入する際に、支持部１２の掛止部１２ｂの先端面が、固定部１１の長さ方向（配設時の配線・配管材の長さ方向）に沿って傾斜する略Ｖ字状の面となる。よって、配線・配管材を前記開口１３から支持部１２の嵌入するときに、配線・配管材を掛止部１２ｂの先端面に沿って円滑に支持部１２の内部に挿入することができ、かつ、支持部１２内への嵌入後は、掛止部１２ｂ全体により配線・配管材を掛止して、支持部１２からの離脱を効果的に防止することができる。また、配線・配管材支持具の一対の支持部１２は、係止部１７によりコーナー部で連結されているが、コーナー部に設けた前記凹部１２ａによりその可撓性（弾性）が向上し、係止部１７の存在にもかかわらず円滑に湾曲することができる。よって、配線・配管材の嵌入時に、開口１３を円滑に開放して、支持部１２の内部に配線・配管材を円滑に嵌入することができる。
【００５１】
ところで、分離状態の２つの配線・配管材支持体１０は、無論、それぞれ、個別に単独で１つ（１束乃至１列）の配線・配管材の支持に使用することができ、離間した任意の位置に任意の姿勢で固定して使用することができる。また、分離状態の配線・配管材支持体１０は、切断した連結部１５の先端（切断箇所１５ａの位置）を壁面に当接させることにより、天井面における位置決めを行うようにすることもできる。或いは、分離状態の配線・配管材支持体１０は、略半分に切断した係止部１７の先端を壁面に当接させることにより、天井面における位置決めを行うようにすることもできる。
【００５２】
ここで、実施の形態１に係る配線・配管材支持具は、配線・配管材支持体１０を２つ備えるものに具体化しているが、通常は、配線・配管材支持体１０２つ備えれば各種の敗戦・配管作業に十分対応することができ、また、これにより、２つの配線・配管材支持体１０を一体成形により容易に連接することができる。更に、実施の形態１では、支持部１２の開口が相反する方向に向けて配置されるため、配線・配管材を開口１３から支持部１２に容易に嵌入することができ、その作業に支障をきたすことがない。
【００５３】
実施の形態２
図６は本発明の実施の形態２に係る配線・配管材支持具を示す斜視図である。
図６に示すように、実施の形態２に係る配線・配管材支持具は、実施の形態１に係る配線・配管材支持具と同様、２つの配線・配管材支持体１０をその幅方向に平行に連接したものである。一方、実施の形態２に係る配線・配管材支持具は、複数の配線・配管材を並列して配設すべく、２つの配線・配管材支持体１０を、支持部１２の開口１３が同一方向を向くよう分離自在に連設している。即ち、実施の形態２に係る配線・配管材支持具は、実施の形態１と同様、２つの配線・配管材支持体１０の固定部１１を、その長辺が平行に対向するよう、同一平面上に直線的に並設すると共に、固定部１１の対向する長辺の中央部間に前記連結部２５を一体成形している。これにより、２つの配線・配管材支持体１０が、連結部２５により互いに連結され、その幅方向に分離自在に連設されている。なお、連結部２５は、実施の形態１の連結部１５と同様のＶ字板状の構成とされて、その幅方向における中央（切断箇所）を手指により切断または折り取り自在である。また、連結部２５は、実施の形態１の連結部１５と同様、配線・配管材支持体１０の固定部１１の中央部間を連結している。よって、連結部２５の両側（固定部１１の両端部間）には、それぞれ、実施の形態１の凹部１６と同様の略矩形状の凹部２６が形成されている。なお、２つの配線・配管材支持体１０の支持部１２間には、実施の形態１のような係止部１７は設けられていない。
【００５４】
このように構成した実施の形態２に係る配線・配管材支持具は、実施の形態１と同様にして製造及び使用することができ、実施の形態１に係る配線・配管材支持具と同様の作用及び効果を発揮する。更に、実施の形態２に係る配線・配管材支持具は、実施の形態１のように係止部１７を備える構成ではないため、その全体構造が簡単になり、製造コストを低減することができる。
【００５５】
実施の形態３
図７は本発明の実施の形態３に係る配線・配管材支持具を示す正面図である。
図７に示すように、実施の形態３に係る配線・配管材支持具は、２つの配線・配管材支持具を分離自在に連接して一体成形したものである。前記２つの配線・配管材支持具の各々は、実施の形態１に係る配線・配管材支持具とほぼ同様の構成である。一方、実施の形態3に係る各配線・配管材支持具は、２つの配線・配管材支持体１０を連結する連結部３５が、実施の形態１の連結部１５と異なる。即ち、連結部３５は、実施の形態１の連結１５のような略Ｖ字板状ではなく、固定部１１間の全長を連結する幅狭の平板状をなすと共に、その幅方向中央の表裏両面に、それぞれ略Ｖ字状の溝（Ｖ溝）を対向して形成したものである。そして、連結部３５は、その表裏両面で長さ方向全体にわたって延びる前記Ｖ溝部分で、手指により切断または折り取り自在となっている。更に、実施の形態３に係る配線・配管材支持具は、２つの配線・配管材支持具を、前記配線・配管材支持体１０の連設方向（配線・配管材支持体１０の幅方向）に沿って略直線状に配置して連設すると共に、前記連結部３５と同様の連結部３６により、２つの配線・配管材支持具間を互いに分離自在としている。即ち、実施の形態３では、隣接する２つの配線・配管材支持具が、前記連結部３６を介して、手指により切断または折り取り自在となっている。なお、連結部３５，３６は固定部１１の長ささ方向の全長（長辺の全長）にわたって一体成形されており、連結部３５，３６の両側（固定部１１の両端部間）には、実施の形態１の凹部１６のような凹部は形成されていない。
【００５６】
このように構成した実施の形態３に係る配線・配管材支持具は、実施の形態１と同様にして製造及び使用することができ、実施の形態１に係る配線・配管材支持具と同様の作用及び効果を発揮する。更に、実施の形態３に係る配線・配管材支持具は、２つの実施の形態１と同様の配線・配管支持具を連設したその完全連設状態では、合計４列の配線・配管材を支持することができる。また、実施の形態３に係る配線・配管材支持具は、必要に応じて、連結部３６を折り取ることにより、（各々２つの配線・配管材支持体１０を有する）２つの配線・配管支持具に分離して使用したり、連結部３６並びに２つの連結部３５を全て折り取ることにより、４つの配線・配管支持体１０に分離して使用したり、或いは、連結部３６と一方の連結部３５を折り取ることにより、（２つの配線・配管材支持体１０を有する）１つの配線・配管材支持具と、２つの配線・配管支持体１０とに分離して使用したりすることができる。
【００５７】
実施の形態４
図８は本発明の実施の形態４に係る配線・配管材支持具を示す斜視図である。
図８に示すように、実施の形態４に係る配線・配管材支持具は、２つの配線・配管材支持具を分離自在に連接して一体成形したものである。前記２つの配線・配管材支持具の各々は、実施の形態２に係る配線・配管材支持具と同様の構成である。また、実施の形態４に係る各配線・配管材支持具は、２つの実施の形態２に係る配線・配管材支持具を、隣接する配線・配管材支持具において前記複数の支持部１２の開口１３が相反する方向を向くように配置した状態で、前記配線・配管材支持体１０の連設方向（配線・配管材支持体１０の幅方向）に沿って略直線状に配置して連設すると共に、前記連結部１５と同様の構成（Ｖ字板状）の連結部４５により互いに分離自在に連設している。即ち、実施の形態４では、隣接する２つの配線・配管材支持具が、前記連結部４５を介して、手指により切断または折り取り自在となっている。なお、連結部４５の幅方向両側には、それぞれ、実施の形態１の凹部１６と同様の略矩形状の凹部４６が形成されている。更に、実施の形態４に係る各配線・配管材支持具は、中央の２つの支持部１２において、開口１３と反対側の端部間に、実施の形態１の係止部１７とほぼ同様の構成の係止部４７を、実施の形態１の係止部１７と同様の位置に同様の態様で略掛け渡した状態で一体成形している。なお、係止部４７は、係止部１７と異なり、その上面の長さ方向中央にＶ字状のＶ溝４７ａを形成し、Ｖ溝４７ａ部分で係止部４７をより容易に切断または折り取りできるようになっている。
【００５８】
このように構成した実施の形態４に係る配線・配管材支持具は、実施の形態１と同様にして製造及び使用することができ、実施の形態１に係る配線・配管材支持具と同様の作用及び効果を発揮する。更に、実施の形態４に係る配線・配管材支持具は、２つの実施の形態２の配線・配管支持具を連設したその完全連設状態では、合計４列の配線・配管材を支持することができる。また、実施の形態４に係る配線・配管材支持具は、必要に応じて、連結部４５を折り取ることにより、（各々２つの配線・配管材支持体１０を有する）２つの配線・配管支持具に分離して使用したり、連結部４５並びに２つの連結部２５を全て折り取ることにより、４つの配線・配管支持体１０に分離して使用したり、或いは、連結部４５と一方の連結部２５を折り取ることにより、（２つの配線・配管材支持体１０を有する）１つの配線・配管材支持具と、２つの配線・配管支持体１０とに分離して使用したりすることができる。
【００５９】
実施の形態５
図９は本発明の実施の形態５に係る配線・配管材支持具を示す正面図である。
図９に示すように、実施の形態５に係る配線・配管材支持具は、実施の形態１に係る配線・配管材支持具の各配線・配管材支持体１０の支持部１２に、支持部１２と同様の構成の追加の支持部５２を一体形成したような構成を有している。詳細には、実施の形態５に係る配線・配管材支持具は、配線・配管材支持体５０を２つ備えている。また、各配線・配管材支持体５０は、固定部１１及び支持部１２を有する実施の形態１の配線・配管材支持体１０に対して、更に、前記支持部１２のコーナー部外側面に、支持部５２を一体成形している。そして、前記支持部５２の先端に設けた（実施の形態１の掛止部１２ｂと同様の）掛止部５２ｂの先端の略Ｖ字状の面と固定部１１の幅方向他端部の表面との間に、前記開口１３を形成している。即ち、実施の形態５では、各配線・配管材支持体５０の支持部１２，５２を、固定部１０を取付面Ｓに固定したときに、取付面Ｓと略直交する方向に２段となるよう延設している。これにより、各配線・配管材支持体１０では、支持部１２，５２の延設方向に沿って、２個の開口１３，５３が同一方向を向くよう配置される。また、実施の形態５では、２つの配線・配管材支持体５０は、その支持部１２，５２の開口１３，５３が相反する方向を向くよう、実施の形態１の連結部１５により互いに分離自在に連設された状態で一体成形されている。これにより、実施の形態５に係る配線・配管材支持具では、全体として、支持部１２，５２が２段２列の合計４個配置され、２段２列の合計４個の開口１３，５３から配線・配管材をそれぞれ嵌入して、配線・配管材を全体で２段２列となるよう支持部１２，５２により並列状態で支持するようになっている。更に、実施の形態５では、２つの支持部５２において開口５３と反対側の端部間には、実施の形態１の係止部１７とほぼ同様の構成の係止部５７が略掛け渡して一体成形されている。なお、係止部５７は、係止部１７と異なり、その上面の長さ方向中央にＶ字状のＶ溝５７ａを形成し、Ｖ溝５７ａ部分で係止部５７をより容易に切断または折り取りできるようになっている。
【００６０】
このように構成した実施の形態５に係る配線・配管材支持具は、実施の形態１と同様にして製造及び使用することができ、実施の形態１に係る配線・配管材支持具と同様の作用及び効果を発揮する。更に、実施の形態５に係る配線・配管材支持具は、２つの配線・配管支持体５０の連設状態では、２段２列の配線・配管材を支持することができる。また、実施の形態５に係る配線・配管材支持具は、必要に応じて、連結部１５及び係止部５７を折り取ることにより、各々２つの支持部１２，５２を有する２つの配線・配管支持体５０に分離して使用することができる。
【００６１】
実施の形態６
図１０は本発明の実施の形態６に係る配線・配管材支持具を示す正面図である。
図１０に示すように、実施の形態６に係る配線・配管材支持具は、２つの配線・配管材支持具を分離自在に連接したものである。前記２つの配線・配管材支持具の各々は、実施の形態５に係る配線・配管材支持具と同様の構成である。詳細には、実施の形態６に係る各配線・配管材支持具は、２つの実施の形態５に係る配線・配管材支持具を、配線・配管材支持体５０の連設方向に沿って略直線状に配置して連設すると共に、前記連結部１５と同様の構成（Ｖ字板状）の連結部６５により互いに分離自在に連設している。即ち、実施の形態６では、隣接する２つの配線・配管材支持具が、前記連結部６５を介して、手指により切断または折り取り自在となっている。なお、連結部６５の幅方向両側には、それぞれ、実施の形態１の凹部１６と同様の略矩形状の凹部６６が形成されている。
【００６２】
このように構成した実施の形態６に係る配線・配管材支持具は、実施の形態１と同様にして製造及び使用することができ、実施の形態１に係る配線・配管材支持具と同様の作用及び効果を発揮する。更に、実施の形態４に係る配線・配管材支持具は、２つの実施の形態５の配線・配管支持具を連設したその完全連設状態では、合計２段４列の配線・配管材を支持することができる。また、実施の形態６に係る配線・配管材支持具は、必要に応じて、連結部６５を折り取ることにより、（各々２つの配線・配管材支持体５０を有する）２つの配線・配管支持具に分離して使用したり、連結部６５並びに２つの連結部１５を全て折り取ることにより、４つの配線・配管支持体５０に分離して使用したり、或いは、連結部６５と一方の連結部１５を折り取ることにより、（２つの配線・配管材支持体５０を有する）１つの配線・配管材支持具と、２つの配線・配管支持体５０とに分離して使用したりすることができる。
【００６３】
実施の形態７
図１１は本発明の実施の形態７に係る配線・配管材支持具を示す正面図である。
図１１に示すように、実施の形態７に係る配線・配管材支持具は、実施の形態1に係る配線・配管材支持具を使用し、その係止部１７に吊下支持体７１を係止したものである。吊下支持体７１は、係止部１７に巻き回して係止することにより接続される紐状の部材であり、配線・配管材を結束して吊下げ支持自在である。吊下支持体７１は、例えば、中央部を係止部１７に巻き回して接続したり、端部を係止部１７に結束等により固着等して接続したりすることができる。なお、吊下支持体７１は、係止部１７に係止して取付自在で、配線・配管材を支持できる限りにおいて、任意の紐状、長尺状素材または線状素材により構成することができる。また、係止部１７は、吊下支持体７１を係止自在である限りにおいて、棒状以外にも、板状等の他の形状とすることができる。
【００６４】
このように構成した実施の形態７に係る配線・配管材支持具は、実施の形態１と同様にして製造及び使用することができ、実施の形態１に係る配線・配管材支持具と同様の作用及び効果を発揮する。更に、実施の形態７に係る配線・配管材支持具は、２つの支持部１２により配線・配管材を並列して支持できるのみならず、支持部１２とは別個の吊下支持体７１により、別の配線・配管材を支持することができる。このとき、係止部１７は、支持部１２において前記開口１３と反対側の端部間に略掛け渡した状態で一体成形されているため、吊下支持体７１からの荷重が一対の支持部１２にバランスよく加わることになり、吊下支持体７１により配線・配管材を一層安定して支持することができる。
【００６５】
実施の形態８
図１２は本発明の実施の形態８に係る配線・配管材支持具を示す正面図である。
図１２に示すように、実施の形態８に係る配線・配管材支持具は、実施の形態１に係る配線・配管材支持具と同様、２つの配線・配管材支持体１０をその幅方向に平行に連接している。一方、実施の形態８に係る配線・配管材支持具は、２つの配線・配管材支持体１０を分離自在に連結する連結部８５の構成において実施の形態１と異なる。具体的には、連結部８５は、固定部１１間の全長を連結する幅狭の平板状をなすと共に、その幅方向中央の表面に、略Ｖ字状の溝（Ｖ溝８５ａ）を形成したものである。そして、連結部８５は、その表裏両面で長さ方向全体にわたって延びる前記Ｖ溝８５ａ部分で、手指により切断または折り取り自在となっている。更に、実施の形態８に係る配線・配管材支持具では、連結部８５は、支持部１２と反対側の裏面全体が、固定部１１の貼着面１１ｃと略面一となり、取付面Ｓに貼着して固定自在な補助貼着面８５ｂとしている。
【００６６】
このように構成した実施の形態８に係る配線・配管材支持具は、実施の形態１と同様にして製造及び使用することができ、実施の形態１に係る配線・配管材支持具と同様の作用及び効果を発揮する。更に、実施の形態８に係る配線・配管材支持具は、固定部１１の貼着面１１ｃを利用して取付面Ｓに貼着して固定できるのみならず、連結部８５の補助貼着面８５ｂを利用して取付面Ｓに貼着して固定することができる。
【００６７】
実施の形態９
図１３は本発明の実施の形態９に係る配線・配管材支持具を示す正面図である。図１４は本発明の実施の形態９に係る配線・配管材支持具を示す底面図である。図１５は本発明の実施の形態９に係る配線・配管材支持具を示す側面図である。
図１３〜図１５に示すように、実施の形態９に係る配線・配管材支持具は、配線・配管材支持体９０を３つ備え、それらを一体成形してなるものである。各配線・配管材支持体９０は、取付面Ｓに固定自在な固定部９１と、固定部９１に一体的に設けられて配線・配管材を支持自在な支持部９２とより構成される。詳細には、固定部９１は、長方形板状等の矩形平板状をなし、図１４に示すように、裏面（底面）に多数の円形の小凹部９１ａを一体形成している。更に、固定部９１の裏面全体は、前記取付面Ｓに接着剤を介して貼着して固定される貼着面９１ｃとされている。
【００６８】
前記支持部９２は、一端に開口９３を有するよう前記固定部９１に一体成形され、開口９３から配線・配管材を支持部９２の内部に嵌入して支持自在とされている。具体的には、支持部９２は、断面略Ｕ字状または略チャンネル状の板状をなし、その中央の湾曲部（図１３中下端部分）が固定部９１の表面に一体成形により固着されている。また、支持部９２は、固定部９１の幅と略同一幅とされ、前記湾曲部の内面側に湾曲形状の凹部９２ａを設けている。凹部９２ａにより、支持部９２を湾曲部でより円滑に撓ませて、開口９３からの配線・配管材の嵌入をより容易に行えるようになっている。更に、支持部９２の両側部分は、固定部９１の表面と略直交している。また、支持部９２の両先端には、それぞれ、小さい鉤状（フック状）の掛止部９２ｂが一体成形されている。そして、前記両掛止部９２ｂ間に、前記開口９３が形成されている。このように、実施の形態９に係る配線・配管材支持具は、支持部９２が、固定部９１において前記取付面Ｓへの取付側である一側（裏面側）と反対側の他側（表面側）に、前記一側から他側へと向かう方向と略同一方向、即ち、固定部９１の略厚さ方向に突出するよう一体成形されて先端に開口９３を有する略Ｕ字状をなしている。そして、前記３つの配線・配管材支持体９０を、各々の支持部９２の開口９３が同一方向（図１３中上方）を向くよう配置した状態で、互いに分離自在に連設し、支持部９２の複数の開口９３から複数の配線・配管材をそれぞれ嵌入して、複数の配線・配管材を支持部９３により並列状態で支持するようになっている。なお、かかる連設状態の配線・配管材支持具において、両側の配線・配管材支持体９０の支持部９２の下端部外側面には、前期凹部９２ａと同様の機能を発揮する凹部９２ｃが形成されている。また、隣接する配線・配管材支持体９０の支持部９２の側部間には、側部と平行に延びる間隙９４が形成される。支持部９２に配線・配管材を嵌入して支持した場合において、配線・配管材の幅方向寸法が支持部９２の両側部間の寸法より大きい場合でも、支持部９２の両側部が間隙９４側に移動して、配線・配管材を円滑に支持するようになっている。
【００６９】
実施の形態９に係る配線・配管材支持具は、複数の配線・配管材を（３列に）並列して配設すべく、合計３つの配線・配管材支持体９０を、支持部９２の開口９３が固定部９１の平面方向と直交する方向（同一方向）を向くよう直線状に連設している。具体的には、３つの配線・配管材支持体９０は、それぞれ、手指により切断自在な連結部９５により連結され、互いに分離自在に連設されている。即ち、実施の形態９に係る配線・配管材支持具は、３つの配線・配管材支持体９０の固定部９１を、その長辺が平行に対向するよう、同一平面上に直線的に並設すると共に、固定部９１の対向する長辺の中央部間に前記連結片９５を一体成形している。これにより、３つの配線・配管材支持体９０が、連結部９５により互いに連結され、その幅方向に連設されている。前記連結部９５は、実施の形態３の連結部３５と同様、固定部１１間の全長を連結する幅狭の平板状をなすと共に、その幅方向中央の表裏両面に、それぞれ略Ｖ字状の溝（Ｖ溝）を対向して形成したものである。そして、連結部９５は、その表裏両面で長さ方向全体にわたって延びる前記Ｖ溝部分で、手指により切断または折り取り自在となっている。
【００７０】
このように構成した実施の形態９に係る配線・配管材支持具は、実施の形態１と同様にして製造及び使用することができ、実施の形態１に係る配線・配管材支持具と同様の作用及び効果を発揮する。一方、実施の形態９に係る配線・配管材支持具は、支持部９２の開口９３が固定部９１と直交する方向を向くため、壁面に固定して配線・配管材を支持する場合に多く使用される。
【００７１】
実施の形態１０
図１６は本発明の実施の形態１０に係る配線・配管材支持具を示す正面図である。
図１６に示すように、実施の形態１０に係る配線・配管材支持具は、２つの配線・配管材支持具を分離自在に連接して一体成形したものである。前記２つの配線・配管材支持具の各々は、実施の形態９に係る配線・配管材支持具と同様の構成である。また、実施の形態１０に係る各配線・配管材支持具は、２つの実施の形態９に係る配線・配管材支持具を、前記支持部９２の開口９３が相反する方向を向くように配置した状態で、前記配線・配管材支持体９０の連設方向と直交する方向に平行に配置して連設すると共に、配線・配管材支持具の一端を、連結部１０５により互いに分離自在に連設している。連結部１０５は、配線・配管材支持具の一端側（図１６中上端側）で対向する一対の配線・配管材支持体９０の支持部９２の上側の側部間を連結する。具体的には、連結部１０５は、支持部９２の側部の幅または固定部９１の長辺と略同一寸法または小さい寸法の略平板状をなし、一側面（図１６中上側面）を支持部９２の側部の外側面と面一としている。また、連結部１０５は、その幅方向（図１６中左右方向）の両端（固定部９１裏面との境界部分）における他側面に、それぞれ、略Ｖ溝状の切断箇所１０５ａを形成している。即ち、実施の形態１０では、隣接する２つの配線・配管材支持具が、前記連結部１０５の切断箇所１０５ａで、手指により切断または折り取り自在となっている。なお、連結部１０５の長さ方向（図１６中の紙面と直行する方向）両側には、それぞれ、実施の形態１の凹部１６と同様の略矩形状の凹部１０６が形成されている。一方、実施の形態１０に係る配線・配管材支持具では、一端側（連結部１０５側）の配線・配管材支持体９０の支持部９２の側部外側面が、取付面Ｓに貼着して固定自在な固定面乃至貼着面を構成する。よって、連結部１０５側の配線・配管材支持体９０の支持部９２の側部外側面には、実施の形態９のような凹部９２ｃは設けられず、その貼着面積（固定面積）を増大している。なお、実施の形態１０では、前記連結部１０５の一側面も取付面Ｓに貼着して固定自在な固定面乃至補助貼着面を構成する。
【００７２】
このように構成した実施の形態１０に係る配線・配管材支持具は、実施の形態１と同様にして製造及び使用することができ、実施の形態１に係る配線・配管材支持具と同様の作用及び効果を発揮する。更に、実施の形態１０に係る配線・配管材支持具は、２つの実施の形態９の配線・配管支持具の完全連設状態では、３段２列の配線・配管材を支持することができる。また、実施の形態１０に係る配線・配管材支持具は、必要に応じて、連結部１０５を折り取ることにより、各々３つの支持部９２を有する２つの配線・配管支持具に分離して使用することができる。更に、このように分離した２つの配線・配管支持具は、更に連結部９５を折り取ることにより、最大３つの配線・配管材支持体９０に分離して使用することができる。
【００７３】
実施の形態１１
図１７は本発明の実施の形態１１に係る配線・配管材支持具を示す正面図である。
図１７に示すように、実施の形態１１に係る配線・配管材支持具は、更に、実施の形態１０に係る配線・配管材支持具において、互いに対向する複数対の前記支持部９２間に、それぞれ、係止部１１７を一体成形している。そして、支持部９２とは別個に配線・配管材を吊り下げ支持するための吊下支持体を前記複数の係止部１１７にそれぞれ係止自在としている。詳細には、係止部１１７は、各支持部９２の他側の側部間の幅方向略中央を連結する直線棒状をなしている。また、係止部１１７は、その長さ方向両端（固定部９１裏面との境界部分）における他側面に、それぞれ、Ｖ溝１１７ａを形成し、Ｖ溝１１７ａ部分で一層容易に切断または折り取りできるようになっている。
【００７４】
このように構成した実施の形態１１に係る配線・配管材支持具は、実施の形態１と同様にして製造及び使用することができ、実施の形態１０に係る配線・配管材支持具と同様の作用及び効果を発揮する。更に、実施の形態１１に係る配線・配管材支持具は、２列３段の支持部９２により配線・配管材を並列して支持できるのみならず、支持部９２とは別個の吊下支持体を係止部１１７に係止して、その吊下支持体により別の配線・配管材を支持することができる。また、連接した２つの配線・配管材支持具の左右で対をなす合計３対（３段）の支持部９２を、先端側から順次、連結部９５を介して分離したときに、次の段の支持部９２間の係止部１１７が最も外側に存在するため、その段の係止部１１７に吊下支持体を係止して、配線・配管材の支持に供することができる。
【００７５】
実施の形態１２
図１８は本発明の実施の形態１２に係る配線・配管材支持具を示す正面図である。
図１８に示すように、実施の形態１２に係る配線・配管材支持具は、実施の形態９に係る配線・配管材支持具とほぼ同様の構成である。一方、実施の形態１２に係る配線・配管材支持具は、連結部１２５の構成において実施の形態９と異なる。具体的には、実施の形態９の連結部９５が、その表裏両面にＶ溝を形成して折り取り自在とされるのに対し、実施の形態１２の連結部１２５は、その表面側にのみＶ溝を形成し、裏面側は平坦面としている。そして、連結部１２５は、その表面側のみで長さ方向全体にわたって延びる前記Ｖ溝部分で、手指により切断または折り取り自在となっている。更に、実施の形態１２に係る配線・配管材支持具では、連結部１２５は、裏面全体が、固定部９１の貼着面と略面一となり、取付面Ｓに貼着して固定自在な補助貼着面を構成する。
【００７６】
このように構成した実施の形態１２に係る配線・配管材支持具は、実施の形態１と同様にして製造及び使用することができ、実施の形態９に係る配線・配管材支持具と同様の作用及び効果を発揮する。更に、実施の形態１２に係る配線・配管材支持具は、固定部９１の貼着面を利用して取付面Ｓに貼着して固定できるのみならず、連結部１２５の補助貼着面を利用して取付面Ｓに貼着して固定することができる。
【００７７】
実施の形態１３
図１９は本発明の実施の形態１３に係る配線・配管材支持具を示す斜視図である。図２０は本発明の実施の形態１３に係る配線・配管材支持具を示す正面図である。図２１は本発明の実施の形態１３に係る配線・配管材支持具を示す断面図である。
図１９〜図２１に示すように、実施の形態１３は、上記特許文献２（特開２０００−４６２４６号公報）に記載の配線・配管材の支持具を利用したものであり、天井や壁等の被取付体に吊りボルトＰを介して固定され、配線・配管材を支持する配線・配管材支持具に具体化される。詳細には、実施の形態１３に係る配線・配管材支持具は、被取付体に吊りボルトＰを介して間接的に取付けて固定自在とする取付部１３９と、取付部１３９の一側に延設して一体成形された基部１３１と、前記基部１３１の延設方向と略直交する方向に突出するよう基部１３１の一側に一体成形された複数の支持部１３２とを備える。各支持部１３２には、その突出方向に延びる支持空間が、基部１３１の延設方向に沿って並列に複数形成される。また、支持部１３２の各支持空間における基部１３１と反対側の一端は、開口１３３とされている。そして、支持部１３２の複数の支持空間の開口１３３から複数の配線・配管材をそれぞれ嵌入して、複数の配線・配管材を各支持部１３２により並列状態で支持するようになっている。更に、隣接する支持部１３２間は、互いに分離自在に連接されている。即ち、隣接する支持部１３２間には、支持部１３２の先端から基端を超えて、基部１３１の表面からその中央手前付近まで延びるよう、スリット状の間隙１３４が形成されている。また、基部１３１において前記間隙１３４に対向する位置には、基部１３１の裏面からその中央手前付近まで延びるスリット状の切断溝１３５ａが形成されている。これにより、基部１３１において前記間隙１３４と切断溝１３５との間に、基部１３１乃至支持部１３２の幅方向全体に延びる連結部１３５が形成されている。そして、連結部１３５は、間隙１３４及び切断溝１３５により、その位置で手指により切断または折り取り自在となっている。
【００７８】
このように構成した実施の形態１３に係る配線・配管材支持具は、実施の形態１と同様にして製造及び使用することができ、実施の形態１に係る配線・配管材支持具と同様の作用及び効果を発揮する。更に、実施の形態１３に係る配線・配管材支持具は、３つの配線・配管支持体１３０の連設状態では、３列、４列、３列の合計１０列の配線・配管材を支持することができる。また、実施の形態１３に係る配線・配管材支持具は、必要に応じて、連結部１３５を折り取ることにより、各々複数の支持空間及び開口１３３を有する３つの配線・配管支持体１３０に分離して使用することができる。このとき、取付部１３９に隣接する配線・配管材支持体１３０は、前記取付部１３９を吊りボルトＰに取り付けられて被取付体に相対的に固定される。一方、その他の２つの配線・配管材支持体１３０は、前記基部１３１の裏面を、接着により取付面Ｓへ貼着して固定することができる。
【００７９】
実施の形態１４
図２２は本発明の実施の形態１４に係る配線・配管材支持具を示す正面図である。
図２２に示すように、実施の形態１４に係る配線・配管材支持具は、実施の形態１３にかかる配線・配管材支持具から取付部１３９を省略したものである。その他の構成は実施の形態１３と同様である。詳細には、実施の形態１４に係る配線・配管材支持具は、取付面Ｓに前記基部１３１の一側（裏面）を固定するようになっている。即ち、前記基部１３１が、取付面Ｓに貼着して固定自在な固定部を構成する。また、前記基部１３１の取付面Ｓへの取付側である前記一側と反対側の他側（表面）に、前記一側から他側へと向かう方向、即ち、基部１３１の厚さ方向と略同一方向に突出するよう、前記支持部１３２を一体成形している。
【００８０】
このように構成した実施の形態１４に係る配線・配管材支持具は、実施の形態１と同様にして製造及び使用することができ、実施の形態１３に係る配線・配管材支持具と同様の作用及び効果を発揮する。更に、実施の形態１４に係る配線・配管材支持具は、実施の形態１３の取付部１３８を省略したため、全体の構成が簡単になり、製造コストを低減する等の諸効果を発揮することができる。
【００８１】
ところで、本発明に係る配線・配管材支持具は、天井面や壁面等の取付面に直接的または間接的に固定することができる。即ち、本発明に係る配線・配管材支持具は、天井面や壁面等の取付面に、例えば、実施の形態１〜１２及び実施の形態１４のように、固定部または基部を貼着等により直接固定してもよく、実施の形態１３のように、吊りボルト等、別の部材である被取付体を取付面に固定し、その被取付体に固定部または基部を取付けることにより、取付面に対して間接的に固定してもよい。
【００８２】
本発明に係る配線・配管材支持具は、隣接する配線・配管材支持体を、複数の配線・配管材を並列して配設自在とする所定姿勢で特定方向（直線状等の一定方向）に連設するものであればよい。更に、配線・配管材支持体は、２つ以上の任意の数とすることができる。また、配線・配管材支持体が２つの場合、左右一対となる配線・配管材支持体の支持部は、開口が相反する方向を向くよう（左側の支持部の開口が左方、右側の支持部の開口が右方を向くよう）配置したり、全ての開口が同一方向を向くよう（左側の支持部の開口及び右側の支持部の開口が共に左方または右方のいずれか一方向を向くよう）配置したり、開口が相対する方向を向くよう（左側の支持部の開口が右方、右側の支持部の開口が左方を向くよう）配設したりすることができる。また、配線・配管材支持体が３つ以上の場合も、支持部は、全ての開口が同一方向を向くよう配置したり、一部（左側）の支持部の開口が第１の方向（例えば、左方）を向き、残り（右側半分）の開口が前記第１の方向と反対の第２の方向（例えば、右方）を向くよう配置したりすることができる。即ち、本発明では、配線・配管材支持体は、支持部の開口が、上記相反する方向、同一方向及び相対する方向のいずれか一以上の方向を向くよう任意の配置態様で配置することができる。
【００８３】
本発明に係る配線・配管材支持具は、隣接する配線・配管材支持体または隣接する配線・配管材支持具を分離自在に連設できる限りにおいて、前記連結部以外の任意の構成により、隣接する配線・配管材支持体または隣接する配線・配管材支持具を分離自在に連設することができる。また、実施の形態１〜１３では、配線・配管材支持体を１つずつに分離できるよう、全ての隣接する配線・配管材支持体間に連結部を設けたが、特定の箇所の隣接する配線・配管材支持体間には連結部を設けることなく、それらを一体的かつ固定的に分離不能に連結して、その箇所では２つ以上の配線・配管材支持体を一体として分離できるよう構成することもできる。
【図面の簡単な説明】
【００８４】
【図１】図１は本発明の実施の形態１に係る配線・配管材支持具を各種使用状態と共に示す説明図である。
【図２】図２は本発明の実施の形態１に係る配線・配管材支持具を示す平面図である。
【図３】図３は本発明の実施の形態１に係る配線・配管材支持具を示す底面図である。
【図４】図４は本発明の実施の形態１に係る配線・配管材支持具を示す正面図である。
【図５】図５は本発明の実施の形態１に係る配線・配管材支持具を示す側面図である。
【図６】図６は本発明の実施の形態２に係る配線・配管材支持具を示す斜視図である。
【図７】図７は本発明の実施の形態３に係る配線・配管材支持具を示す正面図である。
【図８】図８は本発明の実施の形態４に係る配線・配管材支持具を示す斜視図である。
【図９】図９は本発明の実施の形態５に係る配線・配管材支持具を示す正面図である。
【図１０】図１０は本発明の実施の形態６に係る配線・配管材支持具を示す正面図である。
【図１１】図１１は本発明の実施の形態７に係る配線・配管材支持具を示す正面図である。
【図１２】図１２は本発明の実施の形態８に係る配線・配管材支持具を示す正面図である。
【図１３】図１３は本発明の実施の形態９に係る配線・配管材支持具を示す正面図である。
【図１４】図１４は本発明の実施の形態９に係る配線・配管材支持具を示す底面図である。
【図１５】図１５は本発明の実施の形態９に係る配線・配管材支持具を示す側面図である。
【図１６】図１６は本発明の実施の形態１０に係る配線・配管材支持具を示す正面図である。
【図１７】図１７は本発明の実施の形態１１に係る配線・配管材支持具を示す正面図である。
【図１８】図１８は本発明の実施の形態１２に係る配線・配管材支持具を示す正面図である。
【図１９】図１９は本発明の実施の形態１３に係る配線・配管材支持具を示す斜視図である。
【図２０】図２０は本発明の実施の形態１３に係る配線・配管材支持具を示す正面図である。
【図２１】図２１は本発明の実施の形態１３に係る配線・配管材支持具を示す断面図である。
【図２２】図２２は本発明の実施の形態１４に係る配線・配管材支持具を示す正面図である。
【符号の説明】
【００８５】
１０，５０，９０  配線・配管材支持体
１１，９１  固定部
１１ｃ，９１ｃ  貼着面
１２，５２，９２，９３，１３２  支持部
１３，５３，１３３  開口
１５，２５，３５，３６，４５，６５，８５，１０５，１２５，１３５  連結部
１５ａ，１０５ａ  切断箇所
１７，４７，５７，１１７  係止部
７１  吊下支持体
８５ｂ  補助貼着面
１３１  基部
１３９  取付部
Ｐ  吊りボルト（被取付体）
Ｓ  取付面
【図１】
2005080398.tif 000003
【図２】
2005080398.tif 000004
【図３】
2005080398.tif 000005
【図４】
2005080398.tif 000006
【図５】
2005080398.tif 000007
【図６】
2005080398.tif 000008
【図７】
2005080398.tif 000009
【図８】
2005080398.tif 000010
【図９】
2005080398.tif 000011
【図１０】
2005080398.tif 000012
【図１１】
2005080398.tif 000013
【図１２】
2005080398.tif 000014
【図１３】
2005080398.tif 000015
【図１４】
2005080398.tif 000016
【図１５】
2005080398.tif 000017
【図１６】
2005080398.tif 000018
【図１７】
2005080398.tif 000019
【図１８】
2005080398.tif 000020
【図１９】
2005080398.tif 000021
【図２０】
2005080398.tif 000022
【図２１】
2005080398.tif 000023
【図２２】
2005080398.tif 000024